(57)【要約】【課題】切欠片２Ｂを保持してシート２を剥がす時に、ミシン目２Ｃに沿って剥がされるが、シート２の貼着された２層部分の端部は下側のシート２が剥がされることによって端部も剥がされるので、確実にミシン目２Ｃに沿って剥がすことができる固形描画材を提供する。【解決手段】シート２の、貼着した２層部分以外の露出した範囲の場所に巻方向に向かって突出する切欠片２Ｂを上下方向に適宜間隔に複数形成し、それぞれの切欠片２Ｂの間に円周方向に伸びたミシン目２Ｃを形成する。【選択図】        図１
2007283650.tif 000002
【特許請求の範囲】
【請求項１】
シートの一端を貼着してシートを固形描画材本体外周に巻回した固形描画材において、シートの貼着した２層部分以外の露出した範囲の任意の場所に巻方向に向かって突出する切欠片を上下方向に適宜間隔に複数形成し、それぞれの切欠片の間に円周方向に伸びたミシン目を形成したことを特徴とする固形描画材。
【請求項２】
シートに設けた巻方向に向かって突出する切欠片のすべてを、右利き用として右巻方向に突出させて形成したことを特徴とする請求項１記載の固形描画材。
【請求項３】
シートに設けた巻方向に向かって突出する切欠片のすべてを、左利き用として左巻方向に突出させて形成したことを特徴とする請求項１記載の固形描画材。
【請求項４】
シートの一端を粘着剤により貼着したことを特徴とする請求項１乃至３のいずれか１項に記載の固形描画材。
【請求項５】
粘着剤として、アクリル系エマルジョンタイプの粘着剤を用いたことを特徴とする請求項４記載の固形描画材。
【請求項６】
シートを上質紙により構成したことを特徴とする請求項１乃至５のいずれか１項に記載の固形描画材。
【請求項７】
シートの貼着した一端側にミシン目と合わせた切込みを形成したことを特徴とする請求項１乃至６のいずれか１項に記載の固形描画材。
【発明の詳細な説明】
【技術分野】
【０００１】
本発明は、シートでクレヨンなどの固形描画材本体を巻回した固形描画材に関するものである。
【背景技術】
【０００２】
従来、クレヨン及びクレパス・ペーパーにおいて、該ペーパー横方向に適数の平行線状のミシン目１を入れて、貼着部３の端部にとりはがしやすくしたクレヨン及びクレパス・ペーパーが知られている。（特許文献１参照）
【特許文献１】実開昭５９−１５３１８５号公報
【発明の開示】
【発明が解決しようとする課題】
【０００３】
しかしながら、上記したクレヨン及びクレパス・ペーパーは、とりはがし部分を保持してはがす時に、上側のペーパー部分で下側の巻回されたペーパー部分をはがさなければならず、ミシン目は設けられているがペーパーの中間部をやぶってはがさなければならないので、非常にやぶりにくく、場合によってはミシン目以外の部分がやぶれてしまう恐れがあった。
本発明は、上記課題を解消する固形描画材を提供することを目的とするものである。
【課題を解決するための手段】
【０００４】
本発明は、シートの一端を貼着してシートを固形描画材本体外周に巻回した固形描画材において、シートの貼着した２層部分以外の露出した範囲の任意の場所に円周方向の巻回方向に向かって突出する切欠片を上下方向に適宜間隔に複数形成し、それぞれの切欠片の間に円周方向に伸びたミシン目を形成したことを第１の要旨とする。
【０００５】
また、シートに設けた巻方向に向かって突出する切欠片のすべてを、右利き用として右巻方向に突出させて形成したことを第２の要旨とする。
【０００６】
更に、シートに設けた巻方向に向かって突出する切欠片のすべてを、左利き用として左巻方向に突出させて形成したことを第３の要旨とする。
【０００７】
更にまた、シートの一端を粘着剤により貼着したことを第４の要旨とする。
【０００８】
更にまた、粘着剤として、アクリル系エマルジョンタイプの粘着剤を用いたことを第５の要旨とする。
【０００９】
更にまた、シートを上質紙により構成したことを第６の要旨とする。
【００１０】
更にまた、シートの貼着した一端側にミシン目と合わせた切込みを形成したことを第７の要旨とする。
【発明の効果】
【００１１】
本発明は、シートに巻回方向に向かって突出する切欠片を形成することにより、切欠片を保持してシートを剥がす時に、ミシン目に沿って剥がされるが、シートの貼着された２層部分の端部は下側のシートが剥がされることによって端部も剥がされるので、確実にミシン目に沿って剥がすことができる効果が奏せられるものである。
【発明を実施するための最良の形態】
【００１２】
固形描画材本体に巻回されたシートを、貼着した２層部分においてもミシン目に沿って確実に剥がすことができる固形描画材を実現した。
【実施例１】
【００１３】
以下、図１及び図２に基づいて本発明の実施例１の固形描画材を説明する。尚、図１の左側を左方向とし、右側を右方向とする。先端１Ａが略円錐形に形成された固形描画材本体１に右巻で上質紙からなるシート２を巻回する。シート２は図３に示したように、左側の端の内側に接着剤あるいは粘着剤を適宜幅に塗布した貼着部２Ａを構成する。このシート２の中間部に上下方向に等間隔に切欠片２Ｂを形成する。この切欠片２Ｂは左方向に向かって突出する構成とする。更に、それぞれの切欠片２Ｂの間に左右に伸びたミシン目２Ｃを並列に形成し、接着剤あるいは粘着剤を塗布した前記貼着部２Ａの左端にミシン目２Ｃに合わせて適宜の切込み２Ｄを形成する。
【００１４】
このシート２を、先端１Ａを上にして固形描画材本体１に右巻で巻回し、貼着部２Ａを右側部の上に貼着する。この時、切欠片２Ｂはシート２の貼着した２層部分以外の露出した範囲に位置する。すると、図１及び図２に示したように、シート２の切欠片２Ｂは右巻方向に突出して固形描画材が構成される。この固形描画材は右利きの人にとって使い易い形状となっている。また、切欠片２Ｂにより断面円形の固形描画材が転がってしまうのを防止することができる。
【００１５】
次に先端１Ａが摩耗した場合には、先ず一番上方の切欠片２Ｂを右手で保持し、左回転方向にシート２を剥がすと、一番上方のシート２が図４に示した様にミシン目２Ｃに沿って剥がれ、２層となった貼着部２Ａについては、下側のシート２が剥がれることにより上側のシート２が持ち上げられるが、この時左端に切込み２Ｄが形成されているので上側のシート２も左端から確実にミシン目２Ｃに沿って剥がれていく。そして一周するとミシン目２Ｃに沿って上方のシート２を完全に剥がすことができる。
【００１６】
そして、固形描画材本体１が摩耗するに従って順次シート２をミシン目２Ｃに沿って円周状に剥がしていくことができる。
【００１７】
図５及び図６は本発明の実施例２の固形描画材を示すもので、特に図６に示すように、上下方向に等間隔に形成する切欠片１２Ｂを円周方向に徐々に位置をずらして配置したものである。このように構成すると、固形描画材本体１にシート１２を巻回する時に、切欠片１２Ｂの場所でシート１２が上下に切れてしまう恐れがなくなるものである。その他、貼着部１２Ａ、ミシン目１２Ｃ及び切込み１２Ｄについては実施例１と同様である。
【００１８】
図７は、本発明の実施例３の固形描画材を示すもので、図３で示したシート２を上下反転させて固形描画材本体１に左巻で巻回し、貼着したものである。従って、シート２の切欠片２Ｂは左巻方向に突出して構成される。
【００１９】
この場合には、切欠片２Ｂを左手で保持して右回転方向にシート２を剥がすことができるので、左利きの人にとって使い易い形状となる。
【００２０】
尚、本発明は上記実施例に限定されるものではなく、固形描画材としては、クレヨンやチョークが考えられる。また、固形描画材本体の断面形状は円形に限定されるものではなく、六角形、四角形、三角形等種々の形状が考えられる。更に、切欠片としては実施例１のような台形状に限らず図８に示した実施例４のように、シート２２の切欠片２２Ｂを半円形に形成しても良い。この実施例４においては、貼着部２２Ａ、ミシン目２２Ｃ及び切込み２２Ｄは実施例１と同様である。
【００２１】
また、接着剤や粘着剤としては、従来知られている種々の接着剤や粘着剤が利用可能であるが、特に粘着剤としてアクリル系エマルジョンタイプを使用すれば、輸送時等における高温条件下でもシートの貼着部が剥がれないといった利点が得られ好ましい。
【００２２】
尚、シートとしては、紙やフイルム等種々のものが利用可能であり、しかも、シール状に台紙に取り付けられて製造されたものを剥がしてシートとして利用しても良い。
【産業上の利用可能性】
【００２３】
固形描画材本体に巻回されたシートにおいて、貼着した上側のシートの端部が下側のシートに持ち上げられて剥がれるので、ミシン目に沿って確実に剥がすことができる。
【図面の簡単な説明】
【００２４】
【図１】本発明の実施例１の固形描画材を示す正面図である。（実施例１）
【図２】図１のＡ−Ａ線を示す拡大断面図である。（実施例１）
【図３】本発明の実施例１のシートを示す平面図である。（実施例１）
【図４】本発明の実施例１の固形描画材において、シートをミシン目に沿って剥がす状態を示す拡大断面図である。（実施例１）
【図５】本発明の実施例２の固形描画材を示す正面図である。（実施例２）
【図６】本発明の実施例２のシートを示す平面図である。（実施例２）
【図７】本発明の実施例３の固形描画材を示す正面図である。（実施例３）
【図８】本発明の実施例４の固形描画材を示す正面図である。（実施例４）
【符号の説明】
【００２５】
１  固形描画材本体
２  シート
２Ｂ  シート２の切欠片
２Ｃ  シート２のミシン目
２Ｄ  シート２の切込み
１２  シート
１２Ｂ  シート１２の切欠片
１２Ｃ  シート１２のミシン目
１２Ｄ  シート１２の切込み
２２  シート
２２Ｂ  シート２２の切欠片
２２Ｃ  シート２２のミシン目
２２Ｄ  シート２２の切込み
【図１】
2007283650.tif 000003
【図２】
2007283650.tif 000004
【図３】
2007283650.tif 000005
【図４】
2007283650.tif 000006
【図５】
2007283650.tif 000007
【図６】
2007283650.tif 000008
【図７】
2007283650.tif 000009
【図８】
2007283650.tif 000010